【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
第１ユーザの第１端末と、前記第１端末と通信するサーバとを含むシステムの情報処理方法であって、
前記第１ユーザと、第２ユーザとで少なくとも負担する金額のうち、前記第１ユーザが負担する第１金額に基づく大きさで表示された第１表示と、前記金額のうち前記第２ユーザが負担する第２金額に基づく大きさで表示された第２表示とを前記端末の表示部に表示することと、
前記第１端末からの送信に基づき、前記第１金額の情報、または前記第２金額の情報に関する第１情報を、前記第２ユーザの第２端末に前記サーバの通信部によって送信することと、
前記第２端末への前記第１情報の送信に基づいて、前記第２ユーザの同意に関する第２情報を前記サーバの通信部により前記第２端末から受信した場合、前記第１金額の情報と、前記第２金額の情報とに基づく処理を前記サーバの制御部によって行うこととを含む。
【請求項２】
請求項１に記載の情報処理方法であって、
前記表示部に表示された前記第１表示に対する第１入力に基づいて、前記表示部に表示された前記第１表示の大きさを変更することと、
前記第１入力による前記第１表示の大きさの変更に基づき、前記第１金額から変更された第３金額の情報を前記サーバに前記端末の通信部によって送信することと、
前記第３金額の情報を前記サーバの通信部によって受信することと、
前記第３金額の情報に基づく処理を前記サーバの制御部によって行うこととを含む。
【請求項３】
請求項２に記載の情報処理方法であって、
前記表示部に表示された前記第１表示に対する第１入力に基づいて、前記表示部に表示された前記第２表示の大きさを変更することを含む。
【請求項４】
請求項２または請求項３に記載の情報処理方法であって、
前記第１入力による前記第１表示の大きさの変更に基づき、前記第２金額から変更された第４金額の情報と、前記第３金額の情報とに基づく処理を前記サーバの制御部によって行うことを含む。
【請求項５】
請求項４に記載の情報処理方法であって、
前記第３金額の情報と前記第４金額の情報とに関する第３情報を、前記第２端末に前記サーバの通信部によって送信することと、
前記第２端末への前記第３情報の送信に基づいて、前記第２ユーザの同意に関する前記第２情報を前記サーバの通信部により前記第２端末から受信した場合、前記第３金額の情報と、前記第４金額の情報とに基づく処理を前記サーバの制御部によって行うこととを含む。
【請求項６】
請求項２に記載の情報処理方法であって、
前記金額は、少なくとも前記第１ユーザと前記第２ユーザと第３ユーザとで負担し、前記金額のうち前記第３ユーザが負担する第５金額に基づく大きさで表示された第３表示を前記端末の表示部に表示することと、
前記表示部に表示された前記第１表示に対する第１入力に基づいて、前記表示部に表示された前記第３表示の大きさを変更することとを含む。
【請求項７】
請求項６に記載の情報処理方法であって、
前記第１入力による前記第１表示の大きさの変更に基づき、前記金額のうち前記第３ユーザが負担する第５金額から変更された第６金額の情報と、前記第２金額と、前記第３金額の情報とに基づく処理を前記サーバの制御部によって行うことを含む。
【請求項８】
請求項７に記載の情報処理方法であって、
前記第２金額の情報と、前記第３金額の情報と、前記第６金額の情報とに関する第４情報を、前記第２端末と第３端末とに前記サーバの通信部によって送信することと、
前記第２端末および前記第３端末への前記第４情報の送信に基づいて、前記第２ユーザの同意に関する前記第２情報と、前記第３ユーザの同意に関する第４情報とを前記サーバの通信部により受信した場合、前記第２金額の情報と、前記第３金額の情報と、前記第６金額の情報とに基づく処理を前記サーバの制御部によって行うこととを含む。
【請求項９】
請求項１に記載の情報処理方法であって、
前記金額を負担する第３ユーザが追加された場合、前記第３ユーザが負担する第３金額に基づく大きさで表示された第３表示を前記表示部に表示することと、
前記第３表示を前記表示部に表示することに基づき、前記第１表示の面積を小さくすることとを含む。
【請求項１０】
請求項９に記載の情報処理方法であって、
前記第３ユーザが前記金額の負担から除外された場合、前記第１表示の面積を大きくすることを含む。
【請求項１１】
請求項１から請求項１０のいずれか一項に記載の情報処理方法であって、
前記端末に対する第２入力に基づいて、前記金額の少なくとも一部を負担する前記第２ユーザを選択することと、
前記第２ユーザの選択に基づいて、前記第２表示を前記表示部に表示することとを含む。
【請求項１２】
請求項１から請求項１１のいずれか一項に記載の情報処理方法であって、
前記第１ユーザを示す画像を前記第１表示の少なくとも一部に重畳させて前記表示部に表示することを含む。
【請求項１３】
請求項１から請求項１２のいずれか一項に記載の情報処理方法であって、
第２情報は、前記第２端末が前記第１情報を受信した後、前記サーバの通信部によって受信される。
【請求項１４】
第１ユーザの第１端末と、前記第１端末と通信するサーバとを含むシステムによって実行されるプログラムであって、
前記第１ユーザと、前記第１ユーザとは異なる第２ユーザとで少なくとも負担する金額のうち、前記第１ユーザが負担する第１金額に基づく大きさで表示された第１表示と、前記金額のうち前記第２ユーザが負担する第２金額に基づく大きさで表示された第２表示とを前記端末の表示部に表示することと、
前記第１端末からの送信に基づき、前記第１金額の情報、または前記第２金額の情報に関する第１情報を、前記第２ユーザの第２端末に前記サーバの通信部によって送信することと、
前記第２端末への前記第１情報の送信に基づいて、前記第２ユーザの同意に関する第２情報を前記サーバの通信部により前記第２端末から受信した場合、前記第１金額の情報と、前記第２金額の情報とに基づく処理を前記サーバの制御部によって行うこととが前記システムに実行される。
【請求項１５】
請求項１４に記載のプログラムであって、
前記表示部に表示された前記第１表示に対する第１入力に基づいて、前記表示部に表示された前記第１表示の大きさを変更することと、
前記第１入力による前記第１表示の大きさの変更に基づき、前記第１金額から変更された第３金額の情報を前記サーバに前記端末の通信部によって送信することと、
前記第３金額の情報を前記サーバの通信部によって受信することと、
前記第３金額の情報に基づく処理を前記サーバの制御部によって行うこととが前記システムに実行される。
【請求項１６】
請求項１５に記載のプログラムであって、
前記表示部に表示された前記第１表示に対する第１入力に基づいて、前記表示部に表示された前記第２表示の大きさを変更することが前記システムに実行される。
【請求項１７】
請求項１５または請求項１６に記載のプログラムであって、
前記第１入力による前記第１表示の大きさの変更に基づき、前記第２金額から変更された第４金額の情報と、前記第３金額の情報とに基づく処理を前記サーバの制御部によって行うことが前記システムに実行される。
【請求項１８】
請求項１７に記載のプログラムであって、
前記第３金額の情報と前記第４金額の情報とに関する第３情報を、前記第２端末に前記サーバの通信部によって送信することと、
前記第２端末への前記第３情報の送信に基づいて、前記第２ユーザの同意に関する前記第２情報を前記サーバの通信部により前記第２端末から受信した場合、前記第３金額の情報と、前記第４金額の情報とに基づく処理を前記サーバの制御部によって行うこととが前記システムに実行される。
【請求項１９】
請求項１５に記載のプログラムであって、
前記金額は、少なくとも前記第１ユーザと前記第２ユーザと第３ユーザとで負担し、前記金額のうち前記第３ユーザが負担する第５金額に基づく大きさで表示された第３表示を前記端末の表示部に表示することと、
前記表示部に表示された前記第１表示に対する第１入力に基づいて、前記表示部に表示された前記第３表示の大きさを変更することとが前記システムに実行される。
【請求項２０】
請求項１９に記載のプログラムであって、
前記第１入力による前記第１表示の大きさの変更に基づき、前記金額のうち前記第３ユーザが負担する第５金額から変更された第６金額の情報と、前記第２金額と、前記第３金額の情報とに基づく処理を前記サーバの制御部によって行うことが前記システムに実行される。
【請求項２１】
請求項２０に記載のプログラムであって、
前記第２金額の情報と、前記第３金額の情報と、前記第６金額の情報とに関する第４情報を、前記第２端末と第３端末とに前記サーバの通信部によって送信することと、
前記第２端末および前記第３端末への前記第４情報の送信に基づいて、前記第２ユーザの同意に関する前記第２情報と、前記第３ユーザの同意に関する第４情報とを前記サーバの通信部により受信した場合、前記第２金額の情報と、第３金額の情報と、前記第６金額の情報とに基づく処理を前記サーバの制御部によって行うこととが前記システムに実行される。
【請求項２２】
請求項１４に記載のプログラムであって、
前記金額を負担する第３ユーザが追加された場合、前記第３ユーザが負担する第３金額に基づく大きさで表示された第３表示を前記表示部に表示することと、
前記第３表示を前記表示部に表示することに基づき、前記第１表示の面積を小さくすることとが前記システムに実行される。
【請求項２３】
請求項２２に記載のプログラムであって、
前記第３ユーザが前記金額の負担から除外された場合、前記第１表示の面積を大きくすることが前記システムに実行される。
【請求項２４】
請求項１４から請求項２３のいずれか一項に記載のプログラムであって、
前記端末に対する第２入力に基づいて、前記金額の少なくとも一部を負担する前記第２ユーザを選択することと、
前記第２ユーザの選択に基づいて、前記第２表示を前記表示部に表示することとが前記システムに実行される。
【請求項２５】
請求項１４から請求項２４のいずれか一項に記載のプログラムであって、
前記第１ユーザを示す画像を前記第１表示の少なくとも一部に重畳させて前記表示部に表示することが前記システムに実行される。
【請求項２６】
請求項１４から請求項２５のいずれか一項に記載のプログラムであって、
第２情報は、前記第２端末が前記第１情報を受信した後、前記サーバの通信部によって受信される。
【請求項２７】
第１ユーザの第１端末と、前記第１端末と通信するサーバとを含むシステムであって、
前記端末は、
前記第１ユーザと、前記第１ユーザとは異なる第２ユーザとで少なくとも負担する金額のうち、前記第１ユーザが負担する第１金額に基づく大きさで表示された第１表示と、前記金額のうち前記第２ユーザが負担する第２金額に基づく大きさで表示された第２表示とを表示する表示部を備え、
前記サーバは、
前記第１端末からの送信に基づき、前記第１金額の情報、または前記第２金額の情報に関する第１情報を、前記第２ユーザの第２端末に送信する通信部と、
前記第２端末への前記第１情報の送信に基づいて、前記第２ユーザの同意に関する第２情報を前記サーバの通信部により前記第２端末から受信した場合、前記第１金額の情報と、前記第２金額の情報とに基づく処理を行う制御部とを備える。